(57)【要約】【課題】  回転撹拌手段が過負荷となったことを容易かつ正確に検出し、その原因となった異物等の除去を容易にできるように制御すること。【解決手段】  本体ケースと、これに内装した生ゴミ処理槽と、生ゴミ処理槽に配した回転撹拌手段と、その駆動用電動モータ３ｅの回転軸に付設したタコジェネレータ１１と、その出力電圧が基準電圧を下回ったことを検知する電圧検知部８と、これがタコジェネレータ１１の出力電圧低下を検知した場合に、リセットされるまで点滅点灯を継続する異常報知ランプ回路９と、回転撹拌手段を駆動する電動モータ３ｅ等の通常の動作の制御及び電圧検知部８が電圧低下を検知した際に回転撹拌手段の回転を直ちに停止させ、その停止状態をそのまま若干の時間維持した後、僅かに逆回転させて停止させるよう制御する制御部７とで構成する。【選択図】  図３
0003106511.tif 000002
【実用新案登録請求の範囲】
【請求項１】
投入された生ゴミを水と二酸化炭素とに分解する消滅型生ゴミ処理機であって、生ゴミ処理槽中に投入された生ゴミを回転撹拌する回転撹拌手段を備えた消滅型生ゴミ処理機に於いて、
前記回転撹拌手段の回転軸の回転に連動して回転するタコジェネレータを付設し、該回転攪拌手段がこれを回転駆動する電動モータによって回転駆動されている間に、該タコジェネレータの出力電圧が基準値を下回った場合には、該回転撹拌手段が回転動作中に障害物によってその回転に制限を受け、該電動モータが過負荷状態になったものと判断し、その電動モータへの電力の供給・停止及び回転方向の正逆切り換えを行う電源スイッチを制御して、該電動モータへの電力の供給を直ちに停止し、その停止状態のまま一定の短時間を経過させた後、あり得る障害物の除去に必要なだけ該回転撹拌手段を逆回転させるべく切り換えて電力を供給し、必要なだけの逆回転動作をさせた後、その電力の供給を再度停止させるようにする制御手段を備えた消滅型生ゴミ処理機。
【請求項２】
報知手段として、前記電動モータが過負荷状態になったものと判断された際に点灯するための警告灯を付加した請求項１の消滅型生ゴミ処理機。
【考案の詳細な説明】
【技術分野】
【０００１】
本考案は、家庭又はレストラン等の厨房で発生する生ゴミを微生物の働きにより水と二酸化炭素とに分解して消滅させる消滅型生ゴミ処理機に関するものである。
【背景技術】
【０００２】
従来の消滅型生ゴミ処理機には、種々の構成のものがあるが、ある程度のレベルを越えたものは、本体ケースに配した生ゴミ処理槽に、その内部を適温に保つための加温手段又は温風導入手段や外部環境への異臭の放出を防止するための消臭手段を備え、更にはその内部に投入された生ゴミと後記基材とを撹拌混合するための撹拌手段を備えている。
【０００３】
上記撹拌手段は、種々の形態の撹拌羽根又は撹拌棒を電動モータによって回転駆動するものであり、多くは、生ゴミを投入した際及び適当な時間間隔毎に回転駆動するようになっている。そして生ゴミ処理槽中に生ゴミとともに投入されることのある異物等の障害物によってその回転が阻害されることがあった場合は、そのことによる負荷の増大を機械的に検出して駆動用電動モータの電源スイッチを切って安全を図るようになっているものである。
【０００４】
このような消滅型生ゴミ処理機は、多孔質の木材チップに微生物を混入させて構成した基材を、予め、その生ゴミ処理槽中に投入しておいて使用するものである。その生ゴミ処理槽に生ゴミを投入すると、前記したように、通常、その都度及び所定の時間間隔で撹拌手段が動作して該生ゴミと基材とを良く混合し、かつそれらの中に空気を導入する。そして基材中の微生物の働きにより、前記のように、生ゴミを水と二酸化炭素とに分解して消滅させようとするものである。
【０００５】
このとき、前記したように、生ゴミ処理槽中を適温に保持する加温手段等が構成されている場合は、これらが作用して内部が微生物の活動に適する温度に保持されるので、より効率的に前記分解活動が行われることとなる。また消臭手段が備えられている場合は、その作用により、この生ゴミ処理槽から排気される気体成分から悪臭成分が除去されるので、周囲環境を悪化させない利点が得られる。
【０００６】
更にまた生ゴミ処理槽中に、生ゴミとともに異物が投入され、これが撹拌手段の回転動作を阻害した場合、前記したように、機械的な検出手段でこれが検出され、電源スイッチが切られ、無理な回転が停止されることとなる。こうして撹拌羽根（撹拌棒）や駆動用電動モータの損傷を避けることができる。またこうして停止させている内に、障害となった異物を除去することができる。
【０００７】
しかし撹拌手段の駆動用電動モータに過負荷がかかった場合の検出手段を、前記したように、機械的な検出手段として構成した場合は、安価に構成するのが容易でない問題点があり、かつ過負荷になった場合に、駆動用電動モータを停止させただけでは、過負荷になった原因である異物等の除去が容易でない場合がある問題点がある。
【０００８】
このような問題点の解決を図った消滅型生ゴミ処理機としては、「投入された生ゴミを水と二酸化炭素とに分解する消滅型生ゴミ処理機であって、生ゴミ処理槽中に投入された生ゴミを回転撹拌する撹拌手段を備えた消滅型生ゴミ処理機に於いて、
前記撹拌手段を回転駆動する電動モータへの駆動電流供給路に駆動電流の増加を検出する電流検出手段を設け、
かつ上記電流検出手段の検出電流値が基準値を越えた場合には、上記撹拌手段が回転動作中に障害物によって回転が停止させられ、前記電動モータが過負荷状態になったものと判断し、その電動モータへの電力の供給・停止及び回転方向の正逆切り換えを行う電源スイッチを制御して、前記電動モータへの電力の供給を直ちに停止し、その停止状態のまま一定の短時間を経過させた後、あり得る障害物の除去に必要なだけ前記撹拌手段を逆回転させるべく切り換えて電力を供給し、必要なだけの逆回転動作をさせた後、その電力の供給を再度停止させるようにした制御手段を備えた消滅型生ゴミ処理機」の提案がある（特許文献１）。
【０００９】
この特許文献１の技術は、比較的簡易な構成で駆動用電動モータにかかった過負荷を検出し得るもので、優れたものであることが認められるが、更に簡易で正確に検出できれば一層好都合である。
【００１０】
【特許文献１】特開２００１−５４７８０号公報
【考案の開示】
【考案が解決しようとする課題】
【００１１】
本考案は、以上のような従来技術に於ける問題点を解決し、撹拌手段を駆動する電動モータが過負荷となった場合の検出をより簡易で正確に検出可能な検出手段を備えた消滅型生ゴミ処理機を提供することを解決の課題とする。
【課題を解決するための手段】
【００１２】
本考案の１は、投入された生ゴミを水と二酸化炭素とに分解する消滅型生ゴミ処理機であって、生ゴミ処理槽中に投入された生ゴミを回転撹拌する回転撹拌手段を備えた消滅型生ゴミ処理機に於いて、
前記回転撹拌手段の回転軸の回転に連動して回転するタコジェネレータを付設し、該回転攪拌手段がこれを回転駆動する電動モータによって回転駆動されている間に、該タコジェネレータの出力電圧が基準値を下回った場合には、該回転撹拌手段が回転動作中に障害物によってその回転に制限を受け、該電動モータが過負荷状態になったものと判断し、その電動モータへの電力の供給・停止及び回転方向の正逆切り換えを行う電源スイッチを制御して、該電動モータへの電力の供給を直ちに停止し、その停止状態のまま一定の短時間を経過させた後、あり得る障害物の除去に必要なだけ該回転撹拌手段を逆回転させるべく切り換えて電力を供給し、必要なだけの逆回転動作をさせた後、その電力の供給を再度停止させるようにする制御手段を備えた消滅型生ゴミ処理機である。
【００１３】
本考案の２は、本考案の１の消滅型生ゴミ処理機に於いて、報知手段として、前記電動モータが過負荷状態になったものと判断された際に点灯するための警告灯を付加したものである。
【考案の効果】
【００１４】
本考案の１の消滅型生ゴミ処理機によれば、例えば、生ゴミ処理槽中に、通常の生ゴミとは異なる特別に堅くて大きい木片等の異物が投入され、これが前記撹拌手段にぶつかり又は該撹拌手段と生ゴミ処理槽の底部との間等に挟まり、該撹拌手段の回転動作が妨げられることとなった場合には、これに伴って、該攪拌手段はその回転速度が所定のそれ以下に低下し又は回転停止状態になるが、これが前記タコジェネレータの出力電圧の低下という態様で検出され、この値が基準値を下回ったと判断された場合には、その旨が、前記制御手段に伝えられ、該制御手段によって、前記撹拌手段を駆動する電動モータが一旦停止し、所定の短時間の経過後、若干逆回転し、その後再度停止すべく制御され、該攪拌手段及び該電動モータ等は確実に保護されることとなるものである。またこれが簡易な構成で確実に実現できるものである。
【００１５】
本考案の２の消滅型生ゴミ処理機によれば、報知手段により、上記のような電動モータの過負荷状態の発生したことが使用者その他の関係者に確実に報知されることとなる。
【考案を実施するための最良の形態】
【００１６】
本考案の消滅型生ゴミ処理機は、基本的に、投入された生ゴミをその中で水と二酸化炭素とに分解するための生ゴミ処理槽と、該生ゴミ処理槽中の生ゴミを回転撹拌する回転撹拌手段と、該回転攪拌手段を回転駆動する電動モータと、該電動モータへの電力の供給・停止及びその回転方向の正逆切り換えを行う電源スイッチと、前記回転撹拌手段の回転軸の回転に連動して回転するタコジェネレータと、該回転攪拌手段の攪拌動作中に該タコジェネレータの出力電圧が基準電圧を下回った場合に、前記電源スイッチを制御して、該電動モータへの電力の供給を直ちに停止し、その停止状態のまま一定の短時間を経過させた後、あり得る障害物の除去に必要なだけ該回転撹拌手段を逆回転させるべく切り換えて電力を供給し、必要なだけの逆回転動作をさせた後、その電力の供給を再度停止させるようにする制御手段と、で構成したものである。
【００１７】
前記生ゴミ処理槽は、基本的に、投入された生ゴミをその中で処理することが可能な容器であれば特定の構成であることは要求されない。もっとも前記回転攪拌手段との関係で、その回転によって投入された生ゴミの攪拌が良好に行われる必要上から、その下半分が、該回転攪拌手段の回転軸に直交する方向から見て下向き半円弧状に構成されているのが好ましい。また該生ゴミ処理槽は、投入された生ゴミを適温に保持するために、底部外周に加温手段を配するのが適当である。
【００１８】
該生ゴミ処理槽は、内部への空気の導入及び排気を行うための吸排気手段を備えていることが好ましい。この生ゴミ処理槽は、好気性の微生物によって有機性の廃棄物である生ゴミの酸化分解を行うものであり、そのためには空気の導入が良好に行われることが重要である。またこのような吸排気手段による排気を行う際には、その排気口に臭気吸着手段を配しておくのが好ましい。生ゴミの処理過程で、異臭が発生することもあり、これを吸着して外部に排出されないようにすることが好ましい。
【００１９】
前記回転攪拌手段は、生ゴミ処理槽中の生ゴミを良好に攪拌し、粗大な生ゴミを砕きつつ満遍なく空気を導入することができるものであれば、特定のそれに限定されない。例えば、回転軸とこれに直交状態に取り付けた攪拌棒とで構成することができる。攪拌棒には必要に応じてその先端付近にブレード部を構成することとすることもできる。皮付きの果物等は、その皮によって微生物による分解が妨げられがちであるが、これに若干でも傷を付けることにより、分解を促進できるようにする趣旨である。
【００２０】
前記電動モータは、前記回転攪拌手段を回転駆動することができ、前記電源スイッチを介して前記制御手段により、前記所定の制御を行うことが可能なものであれば、特定の構成のそれに限定されない。この電動モータから前記回転攪拌手段への回転力の伝達手段も自由なそれを採用することができる。
【００２１】
前記タコジェネレータは、前記回転撹拌手段の回転軸の回転に連動して回転すべく配して、その出力電圧によって該回転攪拌手段のその時点の回転速度を検出しようとするものであり、特にその出力電圧が基準値を下回ったか否かを検出することにより、該回転攪拌手段が回転攪拌動作中に何らかの障害物によってその回転に制限を受け、前記電動モータが過負荷状態になったか否かを判断しようとするものである。そのため、そのような目的を達成できるタコジェネレータであれば、特定の構成のそれに限定されず、自由に適当なそれを採用することができる。比較的低速回転で正確な検出をすることを目的とするものであるからそのような趣旨に適合するものが好ましい。
【００２２】
前記タコジェネレータは、以上のような趣旨で用いるものであり、直接には前記電動モータ又は前記回転攪拌手段、或いは両者の間に介在される回転伝達手段のいずれかに接続してその回転速度を検出するように配置すべきである。前記基準値はいずれに配するかによって適切に設定されるべきものである。
【００２３】
前記電源スイッチは、先に述べた通りの機能を持ったそれを自由に採用することができる。
【００２４】
また前記制御手段は、少なくとも先に述べた通りの機能を持ったそれを自由に採用することができる。例えば、これは、マイクロコンピュータとソフトウエアとにより簡単に構成することができる。
【００２５】
なお、このような消滅型生ゴミ処理機には、報知手段として、前記電動モータが過負荷状態になったものと判断された際に点灯するための警告灯を付加することができる。
【００２６】
従って、本考案の消滅型生ゴミ処理機によれば、生ゴミ処理槽に投入される生ゴミは、回転動作する回転撹拌手段で予め投入されている基材及びそれまでに投入されている生ゴミと撹拌混合させられ、かつ同時に生ゴミの破片等の間に適度に空気が導入されるため、微生物の活動が活発になり、その活動によって徐々に水と二酸化炭素とに分解されることとなる。該回転攪拌手段は、制御手段にそのような機能を付与しておくことにより、 設定時間間隔で設定時間ずつ回転攪拌動作させることができ、これによって上記のように適切な生ゴミと基材との攪拌混合及び空気の導入が行われることになる。
【００２７】
このとき、前記のように、生ゴミ処理槽に加温手段及び吸排気手段が装備してあれば、該生ゴミ処理槽内の温度条件も良好となり、一層良好に、生ゴミの分解活動が行われることとなる。また、このとき、該生ゴミ処理槽に、前記のような臭気吸着手段が配してあれば、外部に排出される排気ガスに含まれる悪臭成分が除去され、周辺環境に悪臭を放出することになるかもしれない問題を解消できるし、生ゴミの投入のために生ゴミ処理機の蓋を開けた際等に、使用者がその悪臭に煩わされることもなくなる。
【００２８】
生ゴミ処理槽中に、例えば、通常の生ゴミとは異なる特別に堅くて大きい木片等の異物が投入され、それによって該回転撹拌手段の回転撹拌動作が妨げられることとなった場合には、これに伴って、該回転撹拌手段の回転に連動して動作するタコジェネレータの出力電圧が急激に低下する事となり、この出力電圧が前記基準値を下回った場合には、その旨が、前記制御手段に伝えられ、上記電動モータを後述するように動作させるべく前記電源スイッチを制御することとなる。
【００２９】
即ち、前記制御手段により前記電源スイッチが制御され、直ちに、電力の供給が停止され、該電動モータの回転が停止され、その停止状態を維持した僅かの時間の経過の後、該電動モータに、電力が、その供給の仕方を切り換えた上で供給され、これまでと逆向きの回転が行われ、前記異物の除去に必要な角度だけ該回転撹拌手段を逆向き回転させた後、再度、電力の供給が停止され、その回転が停止される。この後は、障害物を取り除き、制御手段をリセットするまでは、前記電動モータに電力は供給されない。
【００３０】
またこの消滅型生ゴミ処理機に前記のように警告灯を付加しておいた場合は、前記タコジェネレータの出力電圧が基準値を下回った場合には、同時に、該警告灯が点灯すべく制御され、その点滅点灯又は継続点灯動作により、異物により回転撹拌手段の回転撹拌動作に支障が生じていることが使用者その他の関係者に報知されることとなる。こうして状況を認識した使用者等により異物が除去され、前記制御手段とともに、リセットされると、この警告灯の動作も停止し、前記制御手段による通常の運転状態が回復することとなる。
【００３１】
こうして、本考案の消滅型生ゴミ処理機によれば、投入された生ゴミの分解処理は、通常の処理過程で良好に行われ、生ゴミ処理槽中に回転撹拌手段の回転に支障の生じるような異物が投入された場合にも、これによる回転攪拌手段の異常な回転速度の低下を前記タコジェネレータの出力電圧が基準値より低下することで容易かつ正確に検出し、前記警告灯が装備してあればこれを動作させてその旨を使用者その他の関係者に報知するとともに、該電動モータの回転を停止させ、引き続いて、若干の短い停止時間の経過の後、該電動モータを逆回転させて、異物の除去をし易くすることができるものであり、簡単な構成で、迅速かつ正確にこれが実現できるものである。
【実施例１】
【００３２】
この実施例の消滅型生ゴミ処理機は、図１〜図３に示すように、本体ケース１と、これに内装した生ゴミ処理槽２と、該生ゴミ処理槽２に構成した回転撹拌手段３と、上記生ゴミ処理槽２に結合した排気筒４及び吸気口５からなる吸排気手段と、上記生ゴミ処理槽２の底部外面に配した加温手段６と、上記回転撹拌手段３を回転駆動する電動モータ３ｅと、これに付設したタコジェネレータ１１と、上記タコジェネレータ１１の出力電圧が基準電圧を下回ったか否かを検知する電圧検知部８と、該電圧検知部８が上記電圧低下を検知した場合にリセットされるまで点滅点灯を継続する異常報知ランプ回路９と、上記回転撹拌手段３を駆動する電動モータ３ｅ、上記排気筒４の排気手段４ｂ及び上記加温手段６の通常の動作、並びに上記電圧検知部８が前記電圧低下を検知した際の上記回転撹拌手段３の異常時の電動モータ３ｅの動作を制御する制御部７とを基本構成要素として構成したものである。
【００３３】
前記本体ケース１は上部を開口した直方体状箱型の部材で、その上部開口部には、図１及び図２に示すように、ヒンジ１ａを介して起伏開閉自在に蓋体１ｂが配してある。また前記本体ケース１の下部には空気導入用のスリット（図示していない）が開口してある。
【００３４】
前記生ゴミ処理槽２は、特に図１に示すように、正面から見て下部が半円形であり、その両上側端及び前後端面から側板が上方に伸びた構成である。上部は全部開放状態であり、前記本体ケース１の上部の開口部に向かって開いている。
【００３５】
前記回転撹拌手段３は、図１及び図２に示すように、前記生ゴミ処理槽２の前後の側板に配した軸受３ａ、３ａに回転自在に配した回転軸３ｂと、これに直交する向きに配した３本の攪拌棒３ｃ、３ｃ、３ｃとで構成したものであり、これが回転伝達機構を介して前記電動モータ３ｅに結合している。
【００３６】
該３本の攪拌棒３ｃ、３ｃ、３ｃの長さは前記回転軸３ｂに配して回転させた際にその先端が前記生ゴミ処理槽２の底面に接触はしないが、その直前を移動する程度のものとする。
【００３７】
前記回転伝達機構は、前記回転軸３ｂの一端部に固設した大径のスプロケット３ｄと、本体ケース１の底部上に配した前記電動モータ３ｅと、該電動モータ３ｅの出力軸に固設した小径のスプロケット３ｆと、該小径のスプロケット３ｆと前記大径のスプロケット３ｄとの間に掛け渡したチェーン３ｇとで構成したものである。
【００３８】
前記吸排気手段は、前記のように、排気筒４と吸気口５とからなる。その内、排気筒４は、図１及び図２に示すように、上端が前記生ゴミ処理槽２の上部の一側に開口し、他端が前記本体ケース１の底部下に開口するように構成し、かつその排気筒４にそれぞれフイルタ４ａ、排気手段４ｂ及び臭気吸着部４ｃを配したものである。他方、前記吸気口５は、前記生ゴミ処理槽２の上部側に於いて該生ゴミ処理槽２と本体ケース１との隙間空間中に開口させて構成したものである。
【００３９】
前記排気筒４は、詳しくは、図２に示すように、一端を前記生ゴミ処理槽２の上端部に横長方形の開口部に開口し、他端を前記排気手段４ｂを介して前記本体ケース１の底部下に開口させたものである。図１に示すように、前記フイルタ４ａは生ゴミ処理槽２の上側部に開口する開口部に配し、前記臭気吸着部４ｃは、上記フイルタ４ａに近接して、その排気側に配する。
【００４０】
また前記排気手段４ｂは本体ケース１の底部上に配し、排気筒４の外端側に位置させる。前記フイルタ４ａは、この例では主として粉塵のような固形成分を除去する部材を採用し、前記臭気吸着部４ｃは、この例では、吸着室と、これに出し入れ自在に配した籠状箱体であって、活性炭や、ゼオライトをその成分に含むセラミックボール等を詰め替え自在に充填した籠状箱体とで構成し、更に前記排気手段４ｂは、この例では、ブロアとこれを駆動する電動モータとで構成したものである。
【００４１】
前記吸気口５は、図１に示すように、前記排気筒４の生ゴミ処理槽２への開口部と対面して、該生ゴミ処理槽２の上側部に開口し、その外側部に、排気筒４に配したフイルタ４ａと同様のフイルタ５ａを配する。こうして生ゴミ処理槽２の上側部に開口させると、該生ゴミ処理槽２の配置関係から、これは必然的に、生ゴミ処理槽２と本体ケース１の間の隙間空間に開口することとなる。
【００４２】
前記加温手段６は、この例では、シート状のヒーターを採用し、これを前記生ゴミ処理槽２の下面に接合状態に装着したものである。
【００４３】
前記タコジェネレータ１１は、この例では直流タコジェネレータを採用し、図１及び図２に示すように、前記電動モータ３ｅの回転軸にその回転軸を結合した状態で付設したものである。該電動モータ３ｅの回転速度に応じて出力電圧を得る趣旨である。そのため、このタコジェネレータ１１の出力電圧は前記電圧検知部８に入力するようにその出力部が該電圧検知部８に接続してある。
【００４４】
前記電圧検知部８は、図１及び図２に示すように、前記タコジェネレータ１１に近接して前記電動モータ３ｅに付設したものであるが、その回路は、図３に示すように、前記電動モータ３ｅの回転軸の回転を検知するタコジェネレータ１１の直流出力を平滑化する平滑回路８ａと、上記平滑回路８ａから受け取って第１抵抗Ｒ１及び第２抵抗Ｒ２による抵抗負荷回路で分圧し、両抵抗Ｒ１、Ｒ２間で分圧した電圧を比較器８ｂに入力し、他方、基準電圧発生器８ｃで発生した基準電圧を同時に比較器８ｂに入力し、該比較器８ｂで前記分圧された電圧を上記基準電圧と比較してその比較結果を出力することとした比較部１８ａと、該比較部１８ａの出力を反転させるインバータ８ｄと、該インバータ８ｄの反転出力を次段の制御手段７に伝達するか否かを、他方の入力でオンオフ制御するアンドゲート８ｅとからなる出力調整部１８ｂとで構成したものである。
【００４５】
前記異常報知ランプ回路９は、図３に示すように、上記電圧検知部８の出力調整部１８ｂからの基準電圧を下回った（電動モータ３ｅの回転速度が所定値以下に低下した）旨の出力（この実施例ではＨレベルのワンパルス出力）が生じた場合に、これがリセットセットフリップフロップ９ａのセット入力端に入力されると、そのＱ出力がＨレベルとなり、これがナンドゲート９ｂの一方の入力端に入力され、上記ナンドゲート９ｂの他の入力端に接続されている発振器９ｃの振動信号出力が上記ナンドゲート９ｂの出力端に表れることとなり、上記ナンドゲート９ｂの出力端に接続されている発光ダイオード９ｄが点滅点灯するように構成してある。なお上記発光ダイオード９ｄに直列に接続してある抵抗Ｒ３は、電源に接続した電流制限抵抗である。
【００４６】
なお前記電源スイッチ１０は、前記電動モータ３ｅに電力を供給する電源回路の途中に挿入されたリレー群からなるものであり、図４に示すように、Ｘ１は、前記電動モータ３ｅを正回転させるための電磁リレー、Ｘ２は逆回転させるための電磁リレーであり、前記制御部７で制御されるようになっている。またＴＨは一定以上の負荷電流が所要時間継続すると接点を開くようになっているサーマルリレーである。
【００４７】
前記制御部７は、前記のように、前記回転撹拌手段３を駆動する電動モータ３ｅ、前記排気筒４の排気手段４ｂ及び加温手段６の通常の動作、並びに前記電圧検知部８が電圧低下を検知した際の上記撹拌手段３を駆動する電動モータ３ｅの異常時の動作を制御するものであるが、より詳しく述べると、次の通りである。
【００４８】
まず回転撹拌手段３については、通常、この実施例では、前記電動モータ３ｅを、正回転１８０秒、停止１０秒、逆回転１８０秒、停止１０秒、正回転１８０秒、停止１０秒、逆回転１８０秒、停止３００秒のサイクルを繰り返すように、即ち、電磁リレーＸ１の１８０秒間の閉成、電磁リレーＸ１及びＸ２双方の１０秒間の開成、電磁リレーＸ２の１８０秒間の閉成、電磁リレーＸ１及びＸ２双方の１０秒間の開成、電磁リレーＸ１の１８０秒間の閉成、電磁リレーＸ１及びＸ２双方の１０秒間の開成、電磁リレーＸ２の１８０秒間の閉成、電磁リレーＸ１及びＸ２双方の３００秒間の開成のサイクルを繰り返すように制御し、これによって攪拌棒３ｃ、３ｃ、３ｃを付設した前記回転軸３ｂに同様の回転及び停止のサイクルを繰り返させる（これ以外の回転又は停止のサイクルでも不都合ではない）。
【００４９】
なお生ゴミの投入等のために前記蓋体１ｂが開けられた場合であって、その際に前記電動モータ３ｅが回転駆動していた場合、即ち、前記電磁リレーＸ１又はＸ２のいずれかが閉じていた場合には、直ちにその電磁リレーＸ１又はＸ２を開き、前記電動モータ３ｅの回転動作を停止させて安全を確保するようにも制御する。前記蓋体１ｂの開閉は図示しないセンサにより検出し、その結果を前記制御部７に入力するようになっている。
【００５０】
また前記回転撹拌手段３を駆動する電動モータ３ｅに過負荷が掛かり、その回転速度低下に起因する前記タコジェネレータ１１の出力電圧低下が前記電圧検知部８で検出され、その旨の出力がされた場合は、直ちに、そのとき閉じていた電磁リレーＸ１又はＸ２を開き、電動モータ３ｅの回転を停止させるべく制御する。そして双方の電磁リレーＸ１及びＸ２の開成状態を約１０秒間継続させた後、前記電動モータ３ｅを、上記約１０秒間の停止直前の回転方向に対して逆方向に回転させるべく、他方の電磁リレーＸ１又はＸ２を閉じるべく制御する。上記他方の電磁リレーＸ１またはＸ２の閉成は、この実施例では、約４秒間継続させ、前記回転撹拌手段３を約１／８回転逆方向に回転させるべく制御するものである。こうして前記回転撹拌手段３と生ゴミ処理槽２の間等に挟まっていることのある異物を除去しやすくする趣旨である。
【００５１】
また前記排気筒４の排気手段４ｂは、その電動モータを、原則として、前記回転撹拌手段３の電動モータ３ｅに連動させて動作させ、回転撹拌手段３の攪拌動作に連動して排気動作をさせるように制御する。ただし、この排気手段４ｂの電動モータは、前記蓋体１ｂを開けた場合には、必ず動作させ、蓋体１ｂの開いている間は、常に排気動作を行っているように制御し、生ゴミ処理槽２の上部開口から異臭が立ち上がらないようにする。
【００５２】
また前記加温手段６については、生ゴミ処理槽２内を５０℃前後に保持するようにこれを制御する。ここで制御温度を５０℃前後としたのは、生ゴミ処理槽２内を上記温度前後に加温しておくと、生ゴミ中に含まれているさまざまな雑菌、回虫卵、有鉤条虫卵、又は蠅の卵等を死滅又は不活化させ得ることが知られており、それらの雑菌による生ゴミの腐敗や成虫化した回虫等による種々の弊害を予め除去することができることによる。そのためここで生ゴミの分解に用いる微生物はこのような温度で死滅又は不活化しないものを採用すべきであることは云うまでもない。
【００５３】
従って、この実施例の消滅型生ゴミ処理機によれば、前記回転撹拌手段３と生ゴミ処理槽２の底部との間に異物が挟まる等に起因して、その回転が停止する等の障害が生じた場合には、これと連動してタコジェネレータ１１の回転速度が低下し、その出力電圧が低下することになるが、この出力電圧低下は前記電圧検知部８により検知され、前記のように、上記電動モータ３ｅの駆動用電力の供給の停止、及び前記所定の停止時間の経過の後、逆方向への所定回転角度の回転のための電力の供給が行われ、これによって上記異物を容易に取り除き得るようにするものであり、これを簡易な構成で正確に実施できるようにしたものである。
【００５４】
またこのような異常な事態が発生したことは、前記異常報知ランプ回路９の発光ダイオード９ｄの点滅点灯動作により報知され、使用者その他の関係者にこの事情が報知されることとなる。しかして使用者等は、このような事態を容易に知り得、前記蓋体１ｂを開けて内部を点検し、上記異物を取り除くことができる。その後、前記制御部７及び異常報知ランプ回路９を所定のリセットスイッチを操作してリセットすれば、前記発光ダイオード９ｄが消灯し、前記制御部７による通常の運転制御状態が回復する。
【００５５】
この実施例の消滅型生ゴミ処理機の運転中に、生ゴミ処理槽２中に、木片（５cm×１０cm×３０cm）を投入してみたところ、すぐに前記発光ダイオード９ｄが点滅点灯し、該木片が回転撹拌手段３の回転の障害となったことを報知した。２０秒ほど待って蓋体１ｂを開け、生ゴミ処理槽２中を覗くと、前記木片はその底部に位置しているが、回転撹拌手段３の撹拌棒３ｃは既に該木片に接触してはおらず、これとの間に若干の隙間があいていた。これは、該木片が生ゴミ処理槽２の底部との間に挟まって回転撹拌手段３の回転を妨げたことが検出され、その回転が一時停止された後、前記したように、該回転撹拌手段３の若干の逆回転が行われ、その結果、前記撹拌棒３ｃとの間に若干の隙間があいたためであると思われる。そのため前記木片は該生ゴミ処理槽２の底部から簡単に取り出すことができた。この後、蓋体１ｂを閉じ、リセットスイッチを操作すると、前記発光ダイオード９ｄは消灯し、この消滅型生ゴミ処理機は、通常の運転を再開した。
【００５６】
また、この実施例の消滅型生ゴミ処理機によれば、以上のような異常状態の良好な回復処理ばかりでなく、通常の処理もまた以下のように良好に行われた。
前記生ゴミ処理槽２には、予め多孔質の木材チップに微生物を混入させて構成した基材を投入しておく。その上で、図示しない主スイッチを投入して、前記制御部７の制御動作、即ち、前記回転撹拌手段３を駆動する電動モータ３ｅ、前記吸排気手段に於ける排気筒４の排気手段４ｂ及び加温手段６に対する前記制御動作等を開始させるものである。
【００５７】
そうすると、その生ゴミ処理槽２中に投入された生ゴミ類は、前記したように、所定の時間間隔で正回転と逆回転とを繰り返す前記回転撹拌手段３により良好に基材と撹拌混合させられ、併せてこれにより気相条件が良好になり、更に前記加温手段６により内部の温度条件も良好に保持されることになるので、微生物の活動が活発になり、投入された生ゴミ類は良好に酸化分解されることとなる。またこうして分解され、生成された水と二酸化炭素とは、前記排気筒４を通じて排気されることとなり、その際に、粉塵等の固形成分はフィルタ４ａで除去され、発生することのある異臭成分は、臭気吸着部４ｃで除去され、周囲環境に粉塵や異臭をまき散らすような問題を生じさせないものともなる。
【図面の簡単な説明】
【００５８】
【図１】一実施例の消滅型生ゴミ処理機の正面説明図。
【図２】一実施例の消滅型生ゴミ処理機の右側面説明図。
【図３】回転撹拌手段の駆動用電動モータに付設したタコジェネレータの出力電圧低下を検知する電圧検知部及び制御手段を含む回路のブロック図。
【図４】回転撹拌手段の駆動用電動モータの電源スイッチを示す回路図。
【符号の説明】
【００５９】
１        本体ケース
１ａ      ヒンジ
１ｂ      蓋体
２        生ゴミ処理槽
３        回転撹拌手段
３ａ      軸受
３ｂ      回転軸
３ｃ      攪拌棒
３ｄ、３ｆ  スプロケット
３ｅ      電動モータ
３ｇ      チェーン
４        排気筒
４ａ、５ａ  フイルタ
４ｂ      排気手段
４ｃ      臭気吸着部
５        吸気口
６        加温手段
７        制御部
８        電圧検知部
８ａ      平滑回路
８ｂ      比較器
８ｃ      基準電圧発生器
８ｄ      インバータ
８ｅ      アンドゲート
９        異常報知ランプ回路
９ａ      リセットセットフリップフロップ
９ｂ      ナンドゲート
９ｃ      発振器
９ｄ      発光ダイオード
１０      電源スイッチ
１８ａ    比較部
１８ｂ    出力調整部
Ｒ１      第１抵抗
Ｒ２      第２抵抗
Ｒ３      抵抗
ＴＨ      サーマルリレー
Ｘ１、Ｘ２  電磁リレー
【図１】
0003106511.tif 000003
【図２】
0003106511.tif 000004
【図３】
0003106511.tif 000005
【図４】
0003106511.tif 000006